(57)【要約】【課題】水面上に設置したブロックからフックを取り外す作業を遠隔操作により安全に行うことができる新規構造のフックを提供する。【解決手段】上端部に吊環１４を有する本体１１と、本体の下端部に回動自在に連結された回転体１６と、本体の中間部に回動自在に連結されたロックアーム１７とを有してなるフック１０。ロックアームが自重で下方に回転したロック位置において、回転体は本体に対して閉止状態にロックされる（図１仮想線）。ロックアーム先端に連結した操作ワイヤー２２を遠隔操作により引き上げて、ロック位置にあるロックアームを上方に回転させることにより、回転体が自重により自動的にロック解除され（図１実線）、回転体に取り付けた玉掛けワイヤーを安全に取り外すことができる。【選択図】図１
2019023122.tif 000002
【特許請求の範囲】
【請求項１】
上端部に吊環を有する本体と、本体の下端部に回動自在に連結された回転体と、本体の中間部に回動自在に連結されたロックアームとを有してなり、ロックアームが自重で下方に回転したロック位置において回転体が本体に対して閉止状態に維持され、且つ、ロック位置にあるロックアームを上方に回転させることにより回転体が自重により自動的にロック解除されることを特徴とする、遠隔開放操作可能なフック。
【請求項２】
ロックアームの先端に操作ワイヤーが取り付けられることを特徴とする、請求項１記載の遠隔開放操作可能なフック。
【請求項３】
回転体の先端部を挿通可能なロック穴がロックアームに設けられることを特徴とする、請求項１または２記載の遠隔開放操作可能なフック。
【発明の詳細な説明】
【技術分野】
【０００１】
本発明は、クレーンの運転席などの離れた場所から玉掛けワイヤーを取り外す作業を行うことができる、遠隔開放操作可能なフックに関する。
【背景技術】
【０００２】
従来の港湾工事や河川工事においては、特許文献１に記載されるようなフックに玉掛けした根固ブロック（消波根固ブロックとも呼ばれる）をクレーンで吊り上げ、港湾や河川の所定場所に吊り下した後に、作業員がブロックに乗って人力でフックを開放して玉掛けワイヤーを取り外す作業を行っていた。
【先行技術文献】
【特許文献】
【０００３】
【特許文献１】実開平０６−０５９３７６
【発明の概要】
【発明が解決しようとする課題】
【０００４】
ブロックにフックをセットする作業とブロックからフックを取り外し作業は、いずれもブロックに乗った作業者の手作業で行われることになるが、前者は、地上に置かれたブロックに作業員が乗って行うのに対し、後者は、水面に設置されたブロックに作業員が乗って行う。このため、取り外し作業時にバランスを崩して転落したときに大事故につながる危険性がある。
【０００５】
したがって、本発明が解決しようとする課題は、上記問題を解決し、水面上に設置したブロックからフックを取り外す作業を遠隔操作により安全且に行うことができる新規構造のフックを提供することである。
【課題を解決するための手段】
【０００６】
この課題を解決するため、請求項１に係る本発明は、上端部に吊環を有する本体と、本体の下端部に回動自在に連結された回転体と、本体の中間部に回動自在に連結されたロックアームとを有してなり、ロックアームが自重で下方に回転したロック位置において回転体が本体に対して閉止状態に維持され、且つ、ロック位置にあるロックアームを上方に回転させることにより回転体が自重により自動的にロック解除されることを特徴とする、遠隔開放操作可能なフックである。
【０００７】
請求項２に係る本発明は、請求項１記載の遠隔開放操作可能なフックにおいて、ロックアームの先端に操作ワイヤーが取り付けられることを特徴とする。
【０００８】
請求項３に係る本発明は、請求項１または２記載の遠隔開放操作可能なフックにおいて、回転体の先端部を挿通可能なロック穴がロックアームに設けられることを特徴とする。
【発明の効果】
【０００９】
本発明によれば、回転体をロックアームにより閉止した状態で、回転体に掛けた玉掛けワイヤーでブロックを吊り上げることができ、ブロックを設置場所で吊り下した後に、クレーンの運転席などの離れた場所から操作ワイヤーを引き上げることにより回転体をロック解除して玉掛けワイヤーを外すことができる。この取り外し作業は遠隔操作で行うことができ、且つ、ロックアームを上方に回転させることにより回転体は自重で自動的にロック解除されるので、作業者がブロックに乗って手作業で行う必要がなく、安全性および作業性が確保される。
【図面の簡単な説明】
【００１０】
【図１】本発明の一実施形態による遠隔開放操作可能なフックの正面図であり、回転体およびロックアームについては、開放状態が実線で示され、ロック状態が仮想線で示されている。
【図２】この遠隔開放操作可能なフックのロック状態（図１仮想線）を示す正面図である。
【発明を実施するための最良の形態】
【００１１】
以下に本発明の一実施形態による遠隔開放操作可能なフックの構成および作用について、図１および図２を参照して説明する。
【００１２】
この遠隔開放操作可能なフック（以下、単に「フック」という。）１０は、本体１１と、回転体１６と、ロックアーム１７の３部材で構成される。
【００１３】
本体１１は、単一の上半部１２と、上半部１２の下端から下方に延長する二股状の下半部１３とから一体に形成されている。上半部１２の上端には、チェーンスリングなどの吊材（図示せず）を介してクレーン（図示せず）に連結される吊環１４が形成されている。
【００１４】
本体下半部１３の下端には、連結ボルト１５を介して、回転体１６が回動自在に連結されており、自重により下方に垂れ下がった状態（開放状態、図１実線）と、後述するようにロックアーム１７によって閉止ロックされた状態（図１仮想線、図２）とを取り得る。
【００１５】
ロックアーム１７は、その基端部において連結ボルト１８を介して、本体上半部１２の下方部に回動自在に連結されており、常時は自重により下方に回転しようとするが、先端の係止ピン１９に掛け回した操作ワイヤー２２をクレーン（図示せず）などにより引き上げることにより、上方に回転してロック解除位置（図１実線）を取り得る。
【００１６】
この実施形態において、ロックアーム１７は、本体上半部１２を挟んで両側に平行に一対の板状部材を連結バー２０で連結することにより形成され、連結バー２０の基端側には、回転体１６の先端部を挿通ないし収容可能なロック穴２１が形成されている。
【００１７】
このフック１０を用いて消波ブロックや根固めブロック（図示せず。以下、単に「ブロック」という。）を吊り上げようとするときは、閉止状態にロックされている回転体に、ブロックに掛け回した玉掛けワイヤー２３を係止して行う（図２）。このとき、回転体１６の先端は、自重で下方（図において時計方向）に回転して略水平になっているロックアーム１７のロック穴２１に入り込んでいるので、回転体１５は閉止状態にロックされる。ロックアーム１７は自重で常に下方に回転しようとするので、この自重に抗して上方（図において反時計方向）に回転させる外力が作用しない限り、回転体１５の閉止ロック状態が維持される。また、回転体１６に係止した玉掛けワイヤー２３にブロックの荷重が掛かっている状態では、回転体１６を図において時計方向に回転させようとする力が働くので、回転体１６の先端部が連結バー２０の内面に強く押し当てられ（図２中の矢印参照）、閉止ロック状態が維持される。
【００１８】
このフック１０を用いて吊り上げたブロックを港湾や河川の所定場所に設置した後に玉掛けワイヤー２３を取り外す作業は、クレーンなどからの遠隔操作により操作ワイヤー２２を引き上げることによって行う。操作ワイヤー２２を引き上げることによりロックアーム１７がロック位置（図１仮想線、図２）からロック解除位置（図１実線）に回転移動すると、回転体１６の先端部がロックアーム１７のロック穴２１から外れるので、回転体１６は閉止状態（図１仮想線、図２）から開放状態（図１実線）に回転移動して、玉掛けワイヤー２３が自動的に外れる。したがって、従来のように作業者が水面上のブロックに乗って玉掛けワイヤーを取り外す作業を行う必要がなくなり、遠隔操作により安全且つ確実に玉掛けワイヤー２３を取り外すことができる。
【符号の説明】
【００１９】
１０  遠隔開放操作可能なフック
１１  本体
１２  本体の上半部
１３  本体の下半部
１４  吊環
１５  連結ボルト
１６  回転体
１７  ロックアーム
１８  連結ボルト
１９  係止ピン
２０  連結バー
２１  ロック穴
２２  操作ワイヤー
２３  玉掛けワイヤー
【図１】
2019023122.tif 000003
【図２】
2019023122.tif 000004